(57)【要約】光ディスクは、第１の中央開口部（２０４ａ）を有する第１の基板（２０２ａ）、当該基板（２０２ａ）の一方の面に形成された第１の信号層（２１０ａ）、第２の中央開口部（２０４ｂ）を有する第２の基板（２０２ｂ）、第２の基板（２０２ｂ）の一方の面に形成された第２の信号層（２１０ｂ）、および中心軸線を有するハブ（２１２）を含む。第１の基板（２０２ａ）および第１の信号層（２０４ａ）は、第１の開口部（２０４ａ）の第１の中心軸線が、第１の信号層（２１０ａ）の第１の中心軸線と実質的に同心に整列させられるように構成され、第２の基板（２０２ｂ）および第２の信号層（２１０ｂ）は、第２の開口部（２０４ｂ）の第２の中心軸線が第２の信号層（２１０ｂ）の第２の中心軸線と実質的に同心に整列させられるように構成される。第１の基板（２０２ａ）、第２の基板（２０２ｂ）、およびハブ（２１２）は、一体に結合されて、その結果、第１の信号層（２１０ａ）、第２の信号層（２１０ｂ）、およびハブ（２１２）の中心軸線が実質的に同心に整列する。
2005521184.tif 000002
【特許請求の範囲】
【請求項１】
第１の中心軸線を中心とする第１の中央開口部を有する第１の基板；
第１の基板の一方の表面に形成された第１の信号層であって、第２の中心軸線を中心とする螺旋形となっている、第１の信号層；
第３の中心軸線を中心とする第２の中央開口部を有する第２の基板；
第２の基板の一方の表面に形成された第２の信号層であって、第４の中心軸線を中心とする螺旋形となっている、第２の信号層；および
第５の中心軸線を有するハブ
を含み、
第１の基板の第１の中央開口部の第１の中心軸線が、第１の信号層の第２の中心軸線と実質的に同軸上に整列しており、第２の基板の第２の中央開口部の第３の中心軸線が、第２の信号層の第４の中心軸線と実質的に同軸上に整列しており、第１の基板、第２の基板およびハブが、第１の信号層の第２の中心軸線、第２の信号層の第４の中心軸線およびハブの第５の中心軸線が実質的に同軸となるように一体に結合されている、光ディスク。
【請求項２】
第１の基板および第２の基板の厚さが実質的に同じである、請求項１に記載の光ディスク。
【請求項３】
第１の基板の厚さが第２の基板の厚さよりも小さい、請求項１に記載の光ディスク。
【請求項４】
第１の基板の厚さが約０．０５ｍｍ〜約０．２ｍｍであり、第２の基板の厚さが約０．３ｍｍ以上である、請求項３に記載の光ディスク。
【請求項５】
ハブが磁気材料を含んで成る、請求項１に記載の光ディスク。
【請求項６】
ハブが磁気感受性材料を含んで成る、請求項１に記載の光ディスク。
【請求項７】
信号層が、相変化材料を含む記録可能な材料を含んで成る、請求項１に記載の光ディスク。
【請求項８】
第１の中心軸線を中心とする第１の中央開口部を有する第１の基板を形成すること；
第２の中心軸線を中心とする螺旋形となっている第１の信号層であって、第１の基板の第１の中央開口部の第１の中心軸線が、第１の信号層の第２の中心軸線と実質的に同軸上に整列している第１の信号層を、第１の基板上に形成すること；
第３の中心軸線を中心とする第２の中央開口部を有する第２の基板を形成すること；
第４の中心軸線を中心とする螺旋形となっている第２の信号層であって、第２の基板の第２の中央開口部の第３の中心軸線が、第２の信号層の第４の中心軸線と実質的に同軸上に整列している第２の信号層を、第２の基板上に形成すること； 
第５の中心軸線を有するハブを形成すること；ならびに
第１の基板、第２の基板、およびハブを、第１の信号層の第２の中心軸線、第２の信号層の第４の中心軸線およびハブの第５の中心軸線が実質的に同軸となるように、一体に組み立てること
を含む方法。
【請求項９】
第１の基板および第２の基板の厚さが実質的に同じである、請求項８に記載の方法。
【請求項１０】
第１の基板の厚さが第２の基板の厚さよりも小さい、請求項８に記載の方法。
【請求項１１】
第１の基板の厚さが約０．０５ｍｍ〜約０．２ｍｍであり、第２の基板の厚さが約０．３ｍｍ以上である、請求項１０に記載の方法。
【請求項１２】
ハブが磁気材料を含んで成る、請求項８に記載の方法。
【請求項１３】
ハブが磁気感受性材料を含んで成る請求項８に記載の方法。
【請求項１４】
信号層が、相変化材料を含む記録可能な材料を含んで成る、請求項８に記載の方法。
【請求項１５】
第１の中心軸線を中心とする第１の中央開口部を有する第１の基板；
第１の基板の一方の表面に形成された第１のデータ層であって、第２の中心軸線を中心とする螺旋形となっている、第１のデータ層；
第３の中心軸線を中心とする第２の中央開口部を有する第２の基板；
第２の基板の一方の表面に形成された第２のデータ層であって、第４の中心軸線を中心とする螺旋形となっている、第２のデータ層；および
第５の中心軸線を有するハブ
を含み、
第１の基板の第１の中央開口部の第１の中心軸線が、第１のデータ層の第２の中心軸線と実質的に同軸上に整列しており、第２の基板の第２の中央開口部の第３の中心軸線が、第２のデータ層の第４の中心軸線と実質的に同軸上に整列しており、第１の基板、第２の基板およびハブが、第１のデータ層の第２の中心軸線、第２のデータ層の第４の中心軸線およびハブの第５の中心軸線が実質的に同軸となるように一体に結合されている、データストレージ・ディスク。
【請求項１６】
第１の基板および第２の基板の厚さが実質的に同じである、請求項１５に記載のデータストレージ・ディスク。
【請求項１７】
第１の基板の厚さが第２の基板の厚さよりも小さい、請求項１５に記載のデータストレージ・ディスク。
【請求項１８】
第１の基板の厚さが約０．０５ｍｍ〜約０．２ｍｍであり、第２の基板の厚さが約０．３ｍｍ以上である、請求項１７に記載のデータストレージ・ディスク。
【請求項１９】
ハブが磁気材料を含んで成る、請求項１５に記載のデータストレージ・ディスク。
【請求項２０】
ハブが磁気感受性材料を含んで成る、請求項１５に記載のデータストレージ・ディスク。
【請求項２１】
信号層が、相変化材料を含む記録可能な材料を含んで成る、請求項１５に記載のデータストレージ・ディスク。
【発明の詳細な説明】
【関連出願の相互参照】
【０００１】
本出願は、「光ディスクのハブ中心軸と信号中心軸を同軸上に整列させる方法」と題して、２００１年８月１４日に出願された仮特許出願６０／３１２，１２１号、および「両面信号層の薄型基板光ディスクならびに関連する方法」と題して、２００１年８月２３日に出願された仮特許出願６０／３１４，４７３号の出願日の利益を主張するものである。
【技術分野】
【０００２】
本発明は、該して光ディスクに関し、特に、光ディスクの信号中心軸を光ディスクのハブの中心軸と同軸上に整列させる方法、およびそれにより得られる光ディスクに関する。
【背景技術】
【０００３】
光ディスクは、通常、中央開口部を有するディスク形状の基板に形成された信号層を含んで成る。信号層は、中心軸線（または中心縦軸）を中心として、ディスク形状の基板にらせんを描いている。加えて、光ディスクは、一般的には円筒形であり、ディスク形状の基板の中央開口部に配置された金属製のハブを一般的に含む。ハブもまた、対応する中心軸線を有する。光ディスクが適切に読出し装置に挿入されると、ハブは読出し装置のスピンドルモータに同軸上に取り付けられる（即ち、ハブの中心（またはセンター）は実質的にモータの回転中心と同心である）。光ディスクの読出し装置が信号層を適切に読むために、信号の中心軸はスピンドルモータの回転中心と実質的に同軸でなければならない。したがって、信号の中心軸は、ハブの中心軸と実質的に同軸でなければならないということになる。
【０００４】
図１は、従来技術の両面二層の光ディスク１００の断面図を示す。光ディスク１００は、中央開口部１０４を有するディスク形状の基板１０２を含んで成る。上側信号層１０６ａは、基板１０２の上側表面に形成されており、下側信号層１０６ｂは基板１０２の下側表面に形成されている。上側信号層１０６ａは、付随する信号中心軸線ＣSAを有し、下側層１０６ｂは付随する信号中心軸線ＣSBを有する。光ディスク１００は、上側ハブ１０８ａおよび下側ハブ１０８ｂを更に含んで成る。上側および下側ハブ１０８ａ−ｂは、それぞれ基板１０２の中央開口部１０４内に同軸上に延びる円筒部１１０ａ−ｂおよび基板１０２の上側および下側表面にそれぞれ取り付けられる縁部（または鍔部）１１２ａ−ｂを含んで成る。上側ハブ１０８ａは、付随する中心軸線ＣHAを有し、下側ハブ１０８ｂは付随する中心軸線ＣHBを有する。
【０００５】
先に説明したように、光ディスク読出し装置が適切に光ディスク１００の信号層１０６ａ−ｂを読み取るためには、信号中心軸線ＣSAおよびＣSBは、ハブ中心軸線ＣHAおよびＣHBとそれぞれ実質的に同軸であることを要する。しかしながら、従来の光ディスク１００において、信号中心軸線ＣSAおよびＣSBは、必ずしもディスク形状の基板１０２の中心軸線と一致しておらず、あるいは互いに一致していない。加えて、ハブ中心軸線ＣHAおよびＣHBは、必ずしもディスク形状の基板１０２の中心軸線と一致しておらず、あるいは互いに一致していない。したがって、信号中心軸線ＣSAおよびＣSBをそれぞれハブ中心軸線ＣHAおよびＣHBと整列させるために、多くのトライ・アンド・エラーおよび／または特別な装置が必要とされる。これは、一般的には実施することが困難であり、多くの時間を要し、高価であり、また、光ディスクの製造を複雑にする。
【０００６】
したがって、信号の中心軸線を光ディスクのハブの中心軸線と整列させる改良された方法が必要とされる。
【発明の概要】
【０００７】
本発明の一つの態様に基づく光ディスクは、第１の中央開口部を有する第１の基板、第１の基板の一方の表面に形成された第１の信号層、第２の中央開口部を有する第２の基板、第２の基板の一方の表面に形成された第２の信号層、および中心軸線を有するハブを含む。第１の基板および第１の信号層は、第１の開口部の第１の中心軸線が、第１の信号層の第１の中心軸線と実質的に同軸上に整列するように設計され、第２の基板および第２の信号層は、第２の開口部の第２の中心軸線が第２の信号層の第２の中心軸線と実質的に同軸上に整列するように設計される。第１の基板、第２の基板およびハブは、一体に結合され、その結果、第１の信号層、第２の信号層およびハブの中心軸線が実質的に同軸上に整列することとなる。
【０００８】
第１の基板の厚さおよび第２の基板の厚さは実質的に同じであってよい。
【０００９】
第１の基板の厚さは、第２の基板の厚さよりも小さくてよい。例えば、第１の基板の厚さは０．０５ｍｍ〜０．２ｍｍであり、第２の基板の厚さは０．３ｍｍ以上である。
【００１０】
ハブは、磁気材料または磁気感受性材料を含んで成るものであってよい。
【００１１】
信号層は、相変化材料のような記録可能な材料を含んで成るものであってよい。
【発明の詳細な説明】
【００１２】
（実施形態１）
図２は、本発明の実施形態１に基づく、分解した例示的な光ディスク２００の断面図を示す。光ディスク２００は、上側中央開口部２０４ａを有するディスク形状の上側基板２０２ａを含んで成る。上側基板２０２ａは、上側基板２０２ａの頂面の上方に延び、上側中央開口部２０４ａの境界を規定する、上側環状突出部２０６ａを含む。加えて、上側基板２０２ａは、底面に配置され、上側基板２０２ａの中央開口部２０４ａと同軸である、環状のノッチ（または切欠き）２０８ａを含む。上側中央開口部２０４ａは中心軸線ＣOAを有する。
【００１３】
光ディスク２００は、下側中央開口部２０４ｂを有するディスク形状の下側基板２０２ｂを含んで成る。下側基板２０２ｂは、下側基板２０２ｂの下側表面の下方に延び、下側中央開口部２０４ｂの境界を規定する、下側環状突出部２０６ｂを含んで成る。加えて、下側基板２０４ｂは、頂面に配置され、下側基板２０２ｂの中央開口部２０４ｂと同軸である、環状のノッチ２０８ｂを含む。下側の中央開口部２０２ｂは、中心軸線ＣOBを有する。
【００１４】
本発明の光ディスク２００は、上側基板２０２ａの上側表面に形成された上側信号層２１０ａ、および下側基板２０２ｂの下側表面に形成された下側信号層２１０ｂをさらに含む。上側信号層２１０ａは中央軸線ＣSAを有し、下側信号層２１０ｂは、中央軸線ＣSBを有する。更に、光ディスク２００は、円筒形のハブ２１２を含み、当該ハブは、ハブ２１２の円筒形の外壁から外向きに延びる、環状突出部２１４を有する。環状突出部２１４は、ハブ２１２の円筒形の壁に沿って、中心に配置されている。円筒形のハブ２１２は、中心軸線ＣHを有する。
【００１５】
図２Ｂは、本発明の実施形態１に基づく、組み立てられた例示的な光ディスク２００の断面図を示す。組み立てられた、上側基板２０２ａの下側表面は、接着剤２１８を使用して、下側基板２０２ｂの上側表面に取り付けられる。上側基板２０２ａの下側基板２０２ｂへの取り付けは、上側の環状ノッチ２０８ａが下側の環状ノッチ２０８ｂと合わせられることによって、環状の溝２１６を形成する。ハブ２１２の環状突出部２１４は、環状グルーブ２１６内に嵌る（または一致する）。ハブ２１２の環状突出部２１４の長さは、ハブ２１２の円筒形の外壁が中央開口部２０４ａ−ｂの壁と接するように、環状の溝２１６の深さよりも小さくされる。
【００１６】
以下に、本発明に基づいて、上側および下側信号層２１０ａ−ｂの中心軸線ＣSAおよびＣSBをハブ２１２の中心軸線ＣHと整列させる（または一致させる）方法を説明する。上側基板２０２ａおよび上側信号層２１０ａは、上側信号層２１０ａの中心軸線ＣSAが、上側基板２０２ａの上側中央開口部２０４ａの中心軸線ＣOAと同軸上に整列するように設計される。また、下側基板２０２ｂおよび下側信号層２１０ｂは、下側信号層２１０ｂの中心軸線ＣSBが、下側基板２０２ｂの下側中央開口部２０４ｂの中心軸線ＣOBと同軸上に整列するように設計される。
【００１７】
ハブ２１２は、その円筒形の外壁が上側および下側開口部２０４ａ−ｂの壁と接するようにさせられて、上側および下側中央開口部２０４ａ−ｂの中心軸線ＣOAおよびＣOBと同軸上に整列している中心軸線ＣHを有する。上側および下側信号層２１０ａ−ｂの中心軸線ＣSAおよびＣSBは、上側および下側中央開口部２０４ａ−ｂの中心軸線ＣOAおよびＣOBと同軸上に整列しているので、上側および下側信号層２１０ａ−ｂの中心軸線ＣSAおよびＣSBは、ハブ２１２の中心軸線ＣHと同軸上に整列することとなる。この状態は、光ディスク読み出し装置が信号層２１０ａ−ｂを適切に読み出すことを許容する。
【００１８】
（実施形態２）
図３Ａおよび図３Ｂは、本発明の実施形態２に基づく、分解された及び組み立てられた例示的な光ディスク３００の断面図をそれぞれ示している。光ディスク３００は、保護層３１６−ｂがそれぞれ上側および下側信号層３１０ａ−ｂを被覆していることを除いては、光ディスク２００と同じである。
【００１９】
（実施形態３）
図４Ａは、本発明の実施形態３に基づく、分解された例示的な光ディスク４００の断面図を示している。光ディスク４００は、上側中央開口部４０４ａを有するディスク形状の上側基板４０２ａを含んで成る。例示した態様において、上側基板４０２ａの厚さは約０．３ｍｍよりも大きい。上側中央開口部４０４ａは中心軸線ＣOAを有する。上側基板４０２はさらに、上側基板４０２ａの下側表面に形成された上側信号層４１０ａを含む。上側信号層４１０ａは、中心軸線ＣSAを中心として螺旋を描いている。
【００２０】
光ディスク４００は、下側中央開口部４０４ｂを有するディスク形状の下側基板４０２ｂをさらに含んで成る。例示した態様において、下側基板４０２ｂの厚さは、約０．０５〜０．２ｍｍである。下側中央開口部４０２ｂは、中心軸線ＣOBを有する。下側基板４０２ｂは、下側基板４０２ｂの上側表面に形成された下側信号層４１０ｂをさらに含んで成る。下側信号層４１０ｂは、中心軸線ＣSBを中心として螺旋を描いている。
【００２１】
加えて、光ディスク４００は、上側円柱部４１２ａおよび下側円柱部４１２ｂを有するハブ４１２を含んで成る。例示した態様において、下側円柱部４１２ｂの外壁の直径は、上側円柱部４１２ａの外壁の直径よりも大きい。ハブは、ハブ４１２の上側および下側円柱部４１２ａおよび４１２ｂを貫通して、縦方向（または軸方向）に且つ同軸上に延びる貫通開口部４１２ｃをさらに含む。ハブ４１２の中心軸線は、ＣHと表示することができる。
【００２２】
図４Ｂは、本発明に基づく、組み立てられた例示的な光ディスク４００の断面図を示す。組み立てられた上側基板４０２ａの下側表面は、下側基板４０２ｂの上側表面に、接着剤４１４を用いて取り付けられる。また、組み立てられたハブ４１２の上側円柱部分４１２ａは、上側基板４０２ａの開口部４０４ａ内で同軸上に延びている。加えて、ハブ４１２の下側円柱部４１２ｂは、下側基板４０２ｂの開口部４０４ｂの内部および下方で同軸上に延びている。
【００２３】
以下に、本発明に従って、上側および下側信号層４１０ａ−ｂの中心軸線ＣSAおよびＣSBを、ハブ４１２の中心軸線ＣHと整列させる方法を説明する。上側基板４０２ａおよび上側信号層４１０ａは、上側信号層４１０ａの中心軸線ＣSAが上側基板４０２ａの上側中央開口部４０４ａの中心軸線ＣOAと実質的に同軸上に整列するように設計される。また、下側基板４０２ｂおよび下側信号層４１０ｂは、下側信号層４１０ｂの中心軸線ＣSBが下側基板４０２ｂの下側中央開口部４０４ｂの中心軸線ＣOBと実質的に同軸上に整列するように設計される。これらの実質的に同軸である関係ＣSA＝ＣOAおよびＣSB＝ＣOBは、現在のＣＤ、ＤＶＤおよびＭＤ成形プロセスに類似する、基板の通常の成形により容易に得ることができる。
【００２４】
ハブ４１２は、上側および下側円柱部４１２ａ−ｂが上側および下側中央開口部４０４ａ−ｂの壁と接するようにさせられて、上側および下側中央開口部４０４ａ−ｂの中心軸線ＣOAおよびＣOBと実質的に同軸上に整列している中心軸線ＣHを有する。上側および下側信号層４１０ａ−ｂの中心軸線ＣSAおよびＣSBが上側および下側中央開口部４０４ａ−ｂの中心軸線ＣOAおよびＣOBと実質的に同軸上に整列しているので、上側および下側信号層４１０ａ−ｂの中心軸線ＣSAおよびＣSBはハブ４１２の中心軸線ＣHと実質的に同軸上に整列することとなる。この状態は、光ディスク読出し装置が信号層４１０ａ−ｂを適切に読み出すことを許容する。
【００２５】
（実施形態４）
図５Ａは、本発明の実施形態４に基づく、分解された例示的な光ディスク５００の断面図を示す。光ディスク５００は、上側部分５０４ａ−１および下側部分５０４ａ−２を有する上側中央開口部５０２ａを有する、ディスク形状の上側基板５０２を含んで成る。例示的な実施形態において、上側部分５０４ａ−１の直径は、上側中央開口部５０４ａの下側部分５０４ａ−２の直径よりも小さい。上側中央開口部５０２ａは、中央軸線ＣOAを有する。例示的な実施形態においてはまた、上側基板５０２ａの厚さは約０．３ｍｍよりも大きい。上側基板５０２ａはさらに、上側基板５０２ａの下側表面に形成された上側信号層５１０ａを含んで成る。上側信号層５１０ａは、中心軸線ＣSAを中心として螺旋を描いている。
【００２６】
光ディスク５００は、下側中央開口部５０４ｂを有するディスク形状の下側基板５０２ｂをさらに含んで成る。例示的な実施形態において、下側基板５０２ｂの厚さは、約０．０５〜０．２ｍｍである。下側中央開口部５０２ｂは、中心軸線ＣOBを有する。下側基板５０２ｂは、下側基板５０２ｂの下側表面の下方に延び、中央開口部５０４ｂの下側部分を規定する環状突出部５０８を含む。加えて、下側基板５０２ｂは、さらに、下側基板５０２ｂの上側表面に形成された下側信号層５１０ｂを含んで成る。下側信号層５１０ｂは、中心軸線ＣSBを中心として螺旋を描いている。
【００２７】
加えて、光ディスク５００は、上側円柱部５１２ａ、下側円柱部５１２ｂ、および中間円柱部５１２ｃを有するハブ５１２を含んで成る。例示的な実施形態において、中間円柱部５１２ｃの外壁の直径は、上側および下側円柱部５１２ａ−ｂの外壁の直径よりも大きく、上側および下側円柱部５１２ａ−ｂの外壁の直径は実質的に同じである。ハブ５１２は、ハブ５１２の上側、下側および中間円柱部５１２ａ−ｃを通過して、縦方向に同軸上に延びる貫通開口部５１２ｄを更に含む。ハブ５１２の中心軸線はＣHと表示することができる。
【００２８】
図５Ｂは、本発明の実施形態４に基づく、組み立てられた例示的な光ディスク３００の断面図を示す。組み立てられた、上側基板５０２ａの下側表面は、下側基板５０２ｂの上側表面に接着剤５１４を用いて取り付けられている。また、組み立てられた、ハブ５１２の上側円柱部５１２ａは、上側基板５０２ａの上側中央開口部５０４ａの上側部分５０４ａ−１内で同軸上に延びている。ハブ５１２の中間円柱部５１２ｃは、上側基板５０２ａの上側中央開口部５０４ａの下側部分５０４ａ−２内で同軸上に延びている。更に、ハブ５１２の下側円柱部５１２ｂは、下側基板５０２ｂの開口部５０４ｂ内で同軸上に延びている。
【００２９】
以下、本発明に従って、上側および下側信号層５１０ａ−ｂの中心軸線ＣSAおよびＣSBをハブ５１２の中心軸線ＣHと整列させる方法を説明する。上側基板５０２ａおよび上側信号層５１０ａは、上側信号層５１０ａの中心軸線ＣSAが上側基板５０２ａの上側中央開口部５０４ａの中心軸線ＣOAと実質的に同軸上に整列するように設計される。また、下側基板５０２ｂおよび下側信号層５１０ｂは、下側信号層５１０ｂの中心軸線ＣSBが下側基板５０２ｂの下側中央開口部５０４ｂの中心軸線ＣOBと実質的に同軸上に整列するように設計される。これらの実質的に同軸である関係ＣSA＝ＣOAおよびＣSB＝ＣOBは、現在のＣＤ、ＤＶＤおよびＭＤ成形プロセスに類似する、基板の通常の成形により容易に得ることができる。
【００３０】
ハブ５１２は、上側および中間円柱部５１２ａおよび５１２ｃが上側中央開口部５０４ａの上側および下側部分５０４ａ−１〜２の壁と接するようにさせられて、上側中央開口部５０４ａの中心軸線ＣOAと同軸上に整列している中心軸線ＣHを有する。また、ハブ５１２は、下側円柱部５１２ｂが下側中央開口部５０４ｂの壁と接するようにさせられて、その中央軸線ＣHを下側中央開口部５０４ｂの中心軸線ＣOBと同軸上に整列させる。上側および下側信号層５１０ａ−ｂの中心軸線ＣSAおよびＣSBは、上側および下側中央開口部５０４ａ−ｂの中心軸線ＣOAおよびＣOBと同軸上に整列しているので、上側および下側信号層５１０ａ−ｂの中心軸線ＣSAおよびＣSBはハブ５１２の中心軸線ＣHと同軸上に整列することとなる。この状態は、光ディスク読出し装置が信号層５１０ａ−ｂを適切に読み出すことを許容する。
【００３１】
例示的な光ディスク２００、３００、４００および５００において、基板は、ポリカーボネートで形成してよく、ハブは磁気感受性金属で形成され、接着剤は貼り合わせ樹脂（例えば紫外線硬化性樹脂）で形成され、信号層は相変化材料（例えばＴｅ−Ｇｅ−Ｓｂ）のような反射層で形成され、保護層はより低い粘度を有する紫外線硬化性樹脂で形成される。光ディスク２００、３００、４００または５００はコンパクトディスク（ＣＤ）、デジタル多用途ディスク（ＤＶＤ）、マイクロディスク（ＭＤ）、データプレイディスク、または他のフォーマットのものであり得る。これらのディスクは、成形プロセスによって、またはスタンピングプロセスによって形成することができる。成形プロセスが用いられる場合、ディスクは成形用取付具から空気突出しプロセスを用いて取り除くことができる。
【００３２】
上述の明細書において、本発明を、特定の実施形態に言及して説明した。しかしながら、本発明のより広い精神および範囲から逸脱しない限りにおいて、種々の改変および変更を行ってよいことは、明らかであろう。したがって、明細書および図面は、限定的な意味ではなく、例示的な意味で受け取られるべきである。
【図面の簡単な説明】
【００３３】
【図１】図１は、従来の光ディスクの断面図を示す。
【図２Ａ】図２Ａは、本発明の実施形態１に基づく、分解された例示的な光ディスク断面図を示す。
【図２Ｂ】図２Ｂは、本発明の実施形態１に基づく、組み立てれらた例示的な光ディスクの断面図を示す。
【図３Ａ】図３Ａは、本発明の実施形態２に基づく、分解された例示的な光ディスクの断面図を示す。
【図３Ｂ】図３Ｂは、本発明の実施形態２に基づく、組み立てられた例示的な光ディスクの断面図を示す。
【図４Ａ】図４Ａは、本発明の実施形態３に基づく、分解された例示的な光ディスクの断面図を示す。
【図４Ｂ】図４Ｂは、本発明の実施形態３に基づく、組み立てられた例示的な光ディスクの断面図を示す。
【図５Ａ】図５Ａは、本発明の実施形態４に基づく、分解された例示的な光ディスクの断面図を示す。
【図５Ｂ】図５Ｂは、本発明の実施形態４に基づく、組み立てられた例示的な光ディスクの断面図を示す。
【図１】
2005521184.tif 000003
【図２Ａ】
2005521184.tif 000004
【図２Ｂ】
2005521184.tif 000005
【図３Ａ】
2005521184.tif 000006
【図３Ｂ】
2005521184.tif 000007
【図４Ａ】
2005521184.tif 000008
【図４Ｂ】
2005521184.tif 000009
【図５Ａ】
2005521184.tif 000010
【図５Ｂ】
2005521184.tif 000011
【国際調査報告】
2005521184.tif 000012